(57)【特許請求の範囲】
【請求項１】
ライズ・オーバ・サーマル（ＲｏＴ）しきい値または雑音上昇（ＮＲ）しきい値を調節するための装置によって実施される方法であって、
前記装置ではない基地局と通信している１または複数のデバイスからなる第１のセットからの干渉であるセル外干渉を検出することと、
前記セル外干渉に基づいて、ＲｏＴしきい値またはＮＲしきい値を調節することと、
送信電力を増加するように、前記装置によってサービス提供される１または複数のデバイスからなる第２のセットに指示することと
を備える方法。
【請求項２】
前記セル外干渉を検出することは、ＲｏＴおよび／またはＮＲにおける増加に部分的に基づく、請求項１に記載の方法。
【請求項３】
前記セル外干渉を検出することは、
前記１または複数のデバイスからなる第１のセットからの信号を取得することと、
前記信号の受信した信号電力を判定することと
を備える、請求項２に記載の方法。
【請求項４】
前記ＲｏＴしきい値またはＮＲしきい値を調節することは、
前記セル外干渉と、
前記１または複数のデバイスからなる第２のセットにおける、１または複数のデバイスのために所望されるデータ・レートと、
固定されたインクリメントと、
上限と、または、
それらの組み合わせ
のうちの１または複数の機能である、請求項１に記載の方法。
【請求項５】
送信電力を増加するように、前記１または複数のデバイスからなる第２のセットに指示することは、前記検出されたセル外干渉によって引き起こされた、ＲｏＴしきい値またはＮＲしきい値における増加に基づく、請求項１に記載の方法。
【請求項６】
ライズ・オーバ・サーマル（ＲｏＴ）しきい値または雑音上昇（ＮＲ）しきい値を調節するための装置であって、
前記装置ではない基地局と通信している１または複数のデバイスからなる第１のセットからの干渉であるセル外干渉を検出し、
前記セル外干渉に基づいて、ＲｏＴしきい値またはＮＲしきい値を調節し、
送信電力を増加するように、前記装置によってサービス提供される１または複数のデバイスからなる第２のセットに指示する
ように構成された少なくとも１つのプロセッサと、
前記少なくとも１つのプロセッサに接続されたメモリと、
を備える装置。
【請求項７】
前記少なくとも１つのプロセッサは、ＲｏＴおよび／またはＮＲにおける増加に部分的に基づいて、前記セル外干渉を検出する、請求項６に記載の装置。
【請求項８】
前記セル外干渉を検出することは、
前記１または複数のデバイスからなる第１のセットからの信号を取得することと、
前記信号の受信した信号電力を判定することと
を備える、請求項７に記載の装置。
【請求項９】
前記少なくとも１つのプロセッサは、
前記セル外干渉と、
前記１または複数のデバイスからなる第２のセットにおける、１または複数のデバイスのために所望されるデータ・レートと、
固定されたインクリメントと、
上限と、または、
それらの組み合わせ
のうちの１または複数の機能として、前記ＲｏＴしきい値またはＮＲしきい値を調節する、請求項６に記載の装置。
【請求項１０】
前記少なくとも１つのプロセッサは、前記検出されたセル外干渉によって引き起こされた、ＲｏＴしきい値またはＮＲしきい値における増加に基づいて、送信電力を増加するように、前記１または複数のデバイスからなる第２のセットに指示する、請求項６に記載の装置。
【請求項１１】
ライズ・オーバ・サーマル（ＲｏＴ）しきい値または雑音上昇（ＮＲ）しきい値を調節するための装置であって、
前記装置ではない基地局と通信している１または複数のデバイスからなる第１のセットからの干渉であるセル外干渉を検出する手段と、
前記セル外干渉に基づいて、ＲｏＴしきい値またはＮＲしきい値を調節する手段と、
送信電力を増加するように、前記装置によってサービス提供される１または複数のデバイスからなる第２のセットに指示する手段と
を備える装置。
【請求項１２】
前記検出する手段は、ＲｏＴおよび／またはＮＲにおける増加に部分的に基づいて、前記セル外干渉を検出する、請求項１１に記載の装置。
【請求項１３】
前記セル外干渉を検出する手段は、
前記１または複数のデバイスからなる第１のセットからの信号を取得する手段と、
前記信号の受信した信号電力を判定する手段と
を備える、請求項１２に記載の装置。
【請求項１４】
前記調節する手段は、
前記セル外干渉と、
前記１または複数のデバイスからなる第２のセットにおける、１または複数のデバイスのために所望されるデータ・レートと、
固定されたインクリメントと、
上限と、または、
それらの組み合わせ
のうちの１または複数の機能として、前記ＲｏＴしきい値またはＮＲしきい値を調節する、請求項１１に記載の装置。
【請求項１５】
前記指示する手段は、前記検出されたセル外干渉によって引き起こされた、ＲｏＴしきい値またはＮＲしきい値における増加に基づいて指示する、
請求項１１に記載の装置。
【請求項１６】
ライズ・オーバ・サーマル（ＲｏＴ）しきい値または雑音上昇（ＮＲ）しきい値を調節するための装置によって実行されるコンピュータ・プログラムを記憶したコンピュータ読取可能記憶媒体であって、前記コンピュータ・プログラムは、
前記装置における少なくとも１つのコンピュータに対して、前記装置ではない基地局と通信している１または複数のデバイスからなる第１のセットからの干渉であるセル外干渉を検出させるためのコードと、
前記少なくとも１つのコンピュータに対して、前記セル外干渉に基づいて、ＲｏＴしきい値またはＮＲしきい値を調節させるためのコードと、
前記少なくとも１つのコンピュータに対して、送信電力を増加するように、前記装置によってサービス提供される１または複数のデバイスからなる第２のセットに指示させるためのコードと
を備える、コンピュータ読取可能記憶媒体。
【請求項１７】
前記少なくとも１つのコンピュータに対して、前記セル外干渉を検出させるためのコードは、ＲｏＴおよび／またはＮＲにおける増加に部分的に基づいて検出する、請求項１６に記載のコンピュータ読取可能記憶媒体。
【請求項１８】
前記少なくとも１つのコンピュータに対して、前記セル外干渉を検出させるためのコードは、前記少なくとも１つのコンピュータに対して、前記１または複数のデバイスからなる第１のセットからの信号を取得させるためのコードと、
前記少なくとも１つのコンピュータに対して、前記信号の受信した信号電力を判定させるためのコードと
を備える、請求項１７に記載のコンピュータ読取可能記憶媒体。
【請求項１９】
前記少なくとも１つのコンピュータに対して、前記ＲｏＴしきい値またはＮＲしきい値を調節させるためのコードは、
前記セル外干渉と、
前記１または複数のデバイスからなる第２のセットにおける、１または複数のデバイスのために所望されるデータ・レートと、
固定されたインクリメントと、
上限と、または、
それらの組み合わせ
のうちの１または複数の機能として、調節する、請求項１６に記載のコンピュータ読取可能記憶媒体。
【請求項２０】
前記少なくとも１つのコンピュータに対して、送信電力を増加するように、前記１または複数のデバイスからなる第２のセットに指示させるためのコードは、前記検出されたセル外干渉によって引き起こされた、ＲｏＴしきい値またはＮＲしきい値における増加に基づいて、指示する、請求項１６に記載のコンピュータ読取可能記憶媒体。
【発明の詳細な説明】
【優先権主張】
【０００１】
本特許出願は、“低電力基地局のための動的なライズ・オーバ・サーマルしきい値（DYNAMIC RISE-OVER-THERMAL THRESHOLD FOR LOW POWER BASE STATIONS）”と題された２０１０年１２月２３日出願の米国特許仮出願６１／４２７，０８３号に対する優先権を主張する。この仮出願は、本明細書の譲受人に譲渡され、本明細書に参照によって明確に組み込まれている。
【技術分野】
【０００２】
以下の記載は、一般に、無線ネットワーク通信に関し、さらに詳しくは、基地局において、ライズ・オーバ・サーマルしきい値または雑音上昇しきい値を調節することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）（例えば、３ＧＰＰ  ＬＴＥ（ロング・ターム・イボリューション）／ＬＴＥアドバンスト）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。
【０００５】
従来の基地局を補足するために、よりロバストな無線有効通信範囲をモバイル・デバイスに提供するために、制限された追加の基地局が配置されうる。例えば、無線中継局および低電力基地局（例えば、ホーム・ノードＢまたはホームｅＮＢと一般に称され、集合的に、Ｈ（ｅ）ＮＢ、フェムト・ノード、ピコ・ノード等と称される）は、漸進的な容量成長、より豊富なユーザ経験、ビルディング内またはその他特有の地理的有効通信範囲等のために展開されうる。このような低電力基地局は、モバイル・オペレータのネットワークへバックホール・リンクを提供しうるブロードバンド接続（例えば、デジタル加入者ライン（ＤＳＬ）ルータ、ケーブル、またはその他のモデム等）を介してインターネットへ接続されうる。したがって、例えば、ブロードバンド接続を介して１または複数のデバイスへモバイル・ネットワーク・アクセスを提供するために、低電力基地局がユーザ住宅内に配置されうる。
【０００６】
低電力基地局は、低電力基地局と通信しているデバイスによって潜在的に引き起こされる干渉を管理するために、ライズ・オーバ・サーマル（ＲｏＴ）しきい値または雑音上昇（ＮＲ）しきい値を用いて設定されうる。ＲｏＴしきい値またはＮＲしきい値は、熱雑音フロアより高い合計受信信号電力の測定値に関連しうる。例えば、ＲｏＴしきい値またはＮＲしきい値に達した場合、低電力基地局は、ＲｏＴまたはＮＲがしきい値を超えないことを保証するために、１または複数のデバイスの逆方向リンク・データ・レートを低減しうる。同様に、例えば、低電力基地局は、電力上昇の結果としてＲｏＴしきい値またはＮＲしきい値が超えられない限り、デバイスに対して、ＲＬ電力を上げるように指示しうる。
【発明の概要】
【０００７】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応するこれらの開示によれば、本開示は、１または複数のデバイスによって引き起こされた干渉に基づいて、基地局におけるライズ・オーバ・サーマル（ＲｏＴ）しきい値または雑音上昇（ＮＲ）しきい値を調節することに関連するさまざまな態様を記載する。例えば、基地局と通信しているデバイスが、基地局のある距離内に移動すると、このデバイスはもはや、基地局からの電力ダウン・コマンドに応答することができず、基地局におけるしきい値よりもＲｏＴまたはＮＲを上昇させ始めうる。一例では、ＲｏＴまたはＮＲをしきい値未満に下げるために、基地局は、このデバイスまたは他のデバイスに対して、データ・レートおよび／または電力を低減させうる。これは、望ましくないかもしれない。したがって、基地局は、近隣のデバイスが、レート低減無く、および、他のデバイスにインパクトを与えることなく、基地局と通信できるようにするために、ＲｏＴしきい値またはＮＲしきい値を増加させうる。近隣のデバイスが、基地局のある距離外に移動すると、基地局は、ＲｏＴしきい値またはＮＲしきい値を低減させうる。別の例では、マクロ基地局またはその他の基地局と通信しているデバイスが、低電力基地局において、ＲｏＴまたはＮＲをしきい値よりも高める場合、低電力基地局は同様に、デバイスが、ＲｏＴまたはＮＲにおける増加をもたらさなくなるまで、ＲｏＴしきい値またはＮＲしきい値を増加させうる。
【０００９】
例によれば、ネットワーク・アクセスを提供するために１または複数のデバイスと通信することと、１または複数のデバイスのうちの少なくとも１つのデバイスからの信号によって引き起こされる干渉における変化を検出することと、を含む、ＲｏＴしきい値またはＮＲしきい値を調節する方法が提供される。この方法はさらに、干渉における変化を検出することに少なくとも部分的に基づいて、ＲｏＴしきい値またはＮＲしきい値を調節することを含む。
【００１０】
別の態様では、ＲｏＴしきい値またはＮＲしきい値を調節する装置が提供される。この装置は、ネットワーク・アクセスを提供するために１または複数のデバイスと通信し、１または複数のデバイスのうちの少なくとも１つのデバイスからの信号によって引き起こされた干渉における変化を検出する、ように構成された少なくとも１つのプロセッサを含む。この少なくとも１つのプロセッサはさらに、干渉における変化を検出することに少なくとも部分的に基づいて、ＲｏＴしきい値またはＮＲしきい値を調節するように構成される。この装置はさらに、少なくとも１つのプロセッサに接続されたメモリを含む。
【００１１】
また別の態様では、ネットワーク・アクセスを提供するために１または複数のデバイスと通信する手段と、１または複数のデバイスのうちの少なくとも１つのデバイスからの信号によって引き起こされた干渉における変化を検出する手段とを含む、ＲｏＴしきい値またはＮＲしきい値を調節する装置が提供される。この装置はさらに、干渉における変化を検出することに少なくとも部分的に基づいて、ＲｏＴしきい値またはＮＲしきい値を調節する手段を含む。
【００１２】
さらに、別の態様では、少なくとも１つのコンピュータに対して、ネットワーク・アクセスを提供するために１または複数のデバイスと通信させるためのコードと、少なくとも１つのコンピュータに対して、１または複数のデバイスのうちの少なくとも１つのデバイスからの信号によって引き起こされた干渉における変化を検出させるためのコードと、を有する非一時的なコンピュータ読取可能な媒体を含む、ＲｏＴしきい値またはＮＲしきい値を調節するためのコンピュータ・プログラム製品が提供される。コンピュータ読取可能な媒体はさらに、少なくとも１つのコンピュータに対して、干渉における変化を検出することに少なくとも部分的に基づいて、ＲｏＴしきい値またはＮＲしきい値を調節させるためのコードを含む。
【００１３】
さらに、態様では、ネットワーク・アクセスを提供するために１または複数のデバイスと通信するためのトランシーバ構成要素と、１または複数のデバイスのうちの少なくとも１つのデバイスからの信号によって引き起こされた干渉における変化を検出するための干渉検出構成要素とを含む、ＲｏＴしきい値またはＮＲしきい値を調節するための装置が提供される。この装置はさらに、干渉における変化を検出することに少なくとも部分的に基づいて、ＲｏＴしきい値またはＮＲしきい値を調節するためのＲｏＴしきい値調節構成要素を含む。
【００１４】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１５】
開示された態様は、以下において、同一符号が同一要素を示す添付図面と連携して説明され、開示された態様を、限定することなく、例示するために提供される。
【図１】図１は、ライズ・オーバ・サーマル（ＲｏＴ）しきい値または雑音上昇（ＮＲ）しきい値を調節するための無線通信システムの例のブロック図である。
【図２】図２は、検出された干渉に基づいて、ＲｏＴしきい値またはＮＲしきい値を調節するための無線通信システムの例のブロック図である。
【図３】図３は、ＲｏＴしきい値またはＮＲしきい値を調節するための方法の例の態様のフロー・チャートである。
【図４】図４は、ＲｏＴしきい値またはＮＲしきい値の調節のための上限を設定する方法の例の態様のフロー・チャートである。
【図５】図５は、セル外干渉に基づいてＲｏＴしきい値またはＮＲしきい値を調節するための方法の例の態様のフロー・チャートである。
【図６】図６は、本明細書に記載された態様にしたがうシステムのブロック図である。
【図７】図７は、ＲｏＴしきい値またはＮＲしきい値を調節するシステムの態様のブロック図である。
【図８】図８は、本明細書に記載されたさまざまな態様にしたがう無線通信システムの態様のブロック図である。
【図９】図９は、本明細書に記載されたさまざまなシステムおよび方法と共に適用されうる無線ネットワーク環境の態様の概要ブロック図である。
【図１０】図１０は、多くのデバイスをサポートするように構成され、本明細書に記載された態様が実施される無線通信システムの例を例示する。
【図１１】図１１は、ネットワーク環境内でのフェムトセルの配置を可能にする典型的な通信システムの例示である。
【図１２】図１２は、定義されたいくつかのトラッキング・エリアを有する有効通信範囲マップの例を例示する。
【発明を実施するための形態】
【００１６】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１７】
本明細書にさらに記載されているのは、低電力基地局においてライズ・オーバ・サーマル（ＲｏＴ）しきい値または雑音上昇（ＮＲ）しきい値を動的に調節することに関連するさまざまな考慮である。例えば、低電力基地局と通信しているデバイスは、低電力基地局の近隣にあり、これによって、このデバイスは、ＲｏＴまたはＮＲをしきい値よりも上昇させる電力で通信するようになる。デバイスは、最低送信電力を実施しうるので、ある距離内にある場合、低電力基地局からのさらなる電力ダウン・コマンドに対して応答せず、ＲｏＴおよび／またはＮＲにおける上昇をもたらす。この例において、低電力基地局は、低電力基地局と通信しているこのデバイスまたは別のデバイスの送信電力およびレートにインパクトを与えることなく、デバイスを適応させるために、ＲｏＴしきい値またはＮＲしきい値を高めうる。別の例において、低電力基地局は、１または複数のデバイス（例えば、マクロセルまたは別の低電力基地局と通信しているデバイス）からのセル外干渉を検出し、これに従って、ＲｏＴしきい値またはＮＲしきい値を高め、干渉を考慮して、低電力基地局と通信している１または複数のデバイスにおける逆方向リンク・スループットを高めることが可能となる。さらに、例えば、マクロセルまたは１または複数の別の低電力基地局に関連して、低電力基地局の位置に少なくとも部分的に基づいて、ＲｏＴしきい値またはＮＲしきい値に対する上限が存在しうる。
【００１８】
低電力基地局は、本明細書において記載されているように、フェムト・ノード、ピコ・ノード、マイクロ・ノード、ホーム・ノードＢまたはホーム・イボルブド・ノードＢ（Ｈ（ｅ）ＮＢ）、リレー、および／または、低電力基地局を含み、これら用語のうちの１つを用いて称されうる。しかしながら、これら用語の使用は一般に、低電力基地局を含むことが意図されている。例えば、低電力基地局は、無線広域ネットワーク（ＷＷＡＮ）に関連付けられたマクロ基地局と比べて、比較的低い電力で送信する。このため、低電力基地局の有効通信範囲エリアは、マクロ基地局の有効通信範囲エリアよりも実質的に小さくなりうる。
【００１９】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェア等のようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２０】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）等とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、タブレット、スマート・ブック、ネットブック、あるいは、無線モデムに接続されたその他の処理デバイス等でありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２１】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２２】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ／ＬＴＥアドバンスト、およびＧＳＭは、「第３世代パートナシップ計画」（３ＧＰＰ）と命名された団体からの文書に記載されている。さらに、ｃｄｍａ２０００およびＵＭＢは、「第３世代パートナシップ計画２」（３ＧＰＰ２）と命名された団体からの文書に記載されている。さらに、このような無線通信システムは、しばしばペアをなさない無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２３】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２４】
図１に示すように、ＲｏＴしきい値またはＮＲしきい値を調節することを容易にする無線通信システム１００が例示される。システム１００は、コア無線ネットワークまたはその他のサービスへのアクセスを提供するために、デバイス１０４と通信するフェムト・ノード１０２を含みうる。システム１００はさらに、デバイス１０８と同様に通信する基地局１０６をも含みうる。例えば、フェムト・ノード１０２は、一例において、実質的に任意の低電力基地局またはマクロ基地局でありうる。基地局１０６は、低電力基地局またはマクロセル基地局、中継ノード、モバイル基地局、ピア・トゥ・ピアまたはアド・ホック・モードでデバイス１０８と通信しているデバイス、これらの一部等でありうる。さらに、デバイス１０４，１０８は、ＵＥ、モデム（または、その他のテザー・デバイス）、これらの一部、および／または、無線ネットワークにおける１または複数の基地局またはその他のデバイスと無線通信しうる実質的に任意のデバイスでありうる。
【００２５】
例によれば、フェムト・ノード１０２は、ＲｏＴしきい値またはＮＲしきい値にしたがって、デバイス１０４および／または追加のデバイスと通信しうる。記載されているように、デバイス１０４からの逆方向リンク（ＲＬ）通信のためのデータ・レートまたは電力は、フェムト・ノード１０２におけるＲｏＴまたはＮＲがＲｏＴしきい値またはＮＲしきい値内に残るように調節されうる。例えば、これは、ＲＬデータ・レートまたは電力を制御するためにデバイス１０４へ送信される、例えばビジー・インジケータやＥＶ−ＤＯシステムにおける逆方向アクティビティ・ビットのようなデータ・レート調節コマンド、電力ダウン・コマンド、および／またはその他の調節を送信するフェムト・ノード１０２を含みうる。
【００２６】
一例では、フェムト・ノード１０２は、ＲｏＴしきい値またはＮＲしきい値を調節しうる。この結果、デバイス１０４のＲＬデータ・レートおよび／または対応するＲＬ送信電力が調節されうる。例えば、フェムト・ノード１０２は、すべての時間において高いＲｏＴしきい値またはＮＲしきい値で動作する必要は無い。一例では、複数のデバイスのデータ・レートは、これらデバイスについて競合状態が生じるように、高いＲｏＴしきい値またはＮＲしきい値に基づいて増加されうる。しかしながら、データ・レートにおける対応する増加の結果、デバイスにおいて実質的に同じスループットとなりうる。なぜなら、複数のデバイスのすべてのデータ・レートが高められるからである。したがって、フェムト・ノード１０２は、このような競合状態を阻止するために、低いＲｏＴしきい値またはＮＲしきい値で動作しうる。デバイス１０４のデータ・レートを修正することは、フェムト・ノード１０２によって示されるダイレクト・レート割当によって実行されうることが認識されるべきである。フェムト・ノード１０２は、データ・レート等を決定することを容易にするために、デバイス１０４へビジー・インジケーションを送信する。
【００２７】
一例では、デバイス１０４が、フェムト・ノード１０２の近隣内にある場合、フェムト・ノード１０２へＲＬ信号を送信するためにデバイス１０４において必要とされるＲＬ電力は、低くなりうる（例えば、デバイス１０４が、フェムト・ノード１０２に近くに移動すると、より低くなりうる。）しかしながら、いくつかの構成では、デバイス１０４は、規定された電力範囲内で（または、少なくとも、最低送信電力にしたがって）送信しうる。これによって、デバイス１０４は、この電力範囲の最低送信電力よりもＲＬ電力を下げることはできない。この例では、ＲＬ電力は最低送信電力であるので、デバイス１０４が、フェムト・ノード１０２のより近くに移動してもＲＬ電力を下げることができないので、フェムト・ノード１０２は、デバイス１０４から送信されたＲＬ信号を、必要以上に高い電力（および／または、フェムト・ノード１０２によってデバイス１０４のために指定されたものよりも高い電力）で受信しうる。これは、フェムト・ノード１０２におけるＲｏＴまたはＮＲにおける増加をもたらしうる。これによって、フェムト・ノード１０２は、フェムト・ノード１０２と通信しているすべてのデバイスの電力を下げることと、ＲｏＴしきい値またはＮＲしきい値が超えられていることを考慮して、その他の対策を講じることとを試みるようになりうる。したがって、例えば、フェムト・ノード１０２は、ＲｏＴしきい値またはＮＲしきい値を動的に増加させ、フェムト・ノード１０２は、デバイス１０４および／またはその他のデバイスとの通信を続けることが可能となる。デバイス１０４がフェムト・ノード１０２からさらに移動する（例えば、これは、ＲｏＴまたはＮＲにおける減少によって検出されうる）と、説明しているように、フェムト・ノード１０２は、再びＲｏＴしきい値またはＮＲしきい値を動的に減少させうる。
【００２８】
別の例では、デバイス１０８は、フェムト・ノード１０２の近隣内に存在することがあり、デバイス１０８から基地局１０６へ送信された信号が、フェムト・ノード１０２と、例えばデバイス１０４のような１または複数のデバイスとの間の通信に対するセル外干渉を引き起こしうる。例えば、フェムト・ノード１０２は、デバイス１０８からの干渉を検知しうる。一例では、これは、しきい値を超えるＲｏＴまたはＮＲにおける増加を判定すること、または、デバイス１０８からの明示的な信号を検出すること、を含みうる。これに応じて、例えば、フェムト・ノード１０２は、デバイス１０４、および／または、フェムト・ノード１０２と通信しているその他のデバイスに対する干渉の影響を緩和するために、ＲｏＴしきい値またはＮＲしきい値を動的に調節しうる。これは、デバイス１０４またはその他のデバイスがＲｏＴしきい値またはＮＲしきい値を上げることを考慮して、より高いデータ・レートでフェムト・ノード１０２と通信することを可能にすることによって、デバイス１０８からの干渉の効果を緩和しうる。同様に、フェムト・ノード１０２は、（例えば、より高いＲｏＴしきい値またはＮＲしきい値と干渉元の信号の欠如を検出することによって）デバイス１０８の移動開始を検出し、これにしたがって、ＲｏＴしきい値またはＮＲしきい値を低減させうる。
【００２９】
次に図２に移って、ＲｏＴしきい値またはＮＲしきい値を調節することを容易にする無線通信システム２００の例が例示されている。システム２００は、無線ネットワーク・サービスまたはその他の通信サービスへのアクセスを、例えばデバイス２０４のような１または複数のデバイスに提供するフェムト・ノード２０２を含みうる。システム２００はまた、１または複数のその他の基地局（図示せず）と通信するデバイス２０６をも備えうる。例えば、説明されるように、フェムト・ノード２０２は、一例ではマクロ基地局のような実質的に任意の低電力基地局であるか、あるいは、類似の基地局であり、デバイス２０４，２０６はおのおのＵＥ、モデム等でありうる。フェムト・ノード２０２は、１または複数のデバイスと通信するためのトランシーバ構成要素２０８と、１または複数のデバイスからの干渉を判定する干渉検出構成要素２１０と判定された干渉にしたがってＲｏＴしきい値またはＮＲしきい値を動的に増加または減少させるＲｏＴしきい値調節構成要素２１２と、１または複数の他の基地局に対するフェムト・ノード２０２の近隣を取得するオプションの基地局近隣判定構成要素２１４とを備えうる。
【００３０】
例によれば、フェムト・ノード２０２は、本明細書でさらに説明されるように、１または複数の送信機、受信機、関連するアンテナおよびプロセッサ等を含みうるトランシーバ構成要素２０８を用いて１または複数のデバイスと通信しうる。例えば、トランシーバ構成要素２０８は、説明するように、無線ネットワーク・アクセスを提供するために、デバイス２０４と通信しうる。例において、トランシーバ構成要素２０８は、ＲｏＴしきい値および／またはＮＲしきい値２１６にしたがって動作し、１または複数のデバイスからの通信によって引き起こされた信号が、フェムト・ノード２０２におけるＲｏＴまたはＮＲが、ＲｏＴしきい値またはＮＲしきい値２１６を超えないことを保証する。例えば、トランシーバ構成要素２０８は、例えばデバイス２０４のような１または複数のデバイスにおいて使用される送信電力を制御するために、しきい値２１６に対するＲｏＴまたはＮＲに基づいて、電力制御コマンドを提供しうる。
【００３１】
一例において、ＲｏＴしきい値調節構成要素２１２は、（例えば、前述したように、実質的なスループット利得無しで、デバイス２０４電力およびその他のデバイス電力を増加させる電力競合状態を回避するために、）ＲｏＴしきい値またはＮＲしきい値２１６を比較的低い値に設定しうる。例において、干渉検出構成要素２１０は、デバイス２０４が、フェムト・ノード２０２におけるＲｏＴまたはＮＲにおける増加をもたらすフェムト・ノード２０２に対する近隣にあることを判定しうる。例えば、これは、トランシーバ構成要素２０８におけるデバイスからの１または複数のＲＬ信号の受信信号電力における増加を判定する干渉検出構成要素２１０を含みうる。
【００３２】
さらに、干渉検出構成要素２１０は、説明するように、デバイス２０４が、最低送信電力において１または複数のＲＬ信号を送信していることを検出しうる。これは、１または複数のさらなる判定に基づきうる。一例では、干渉検出構成要素２１０は、デバイス２０４がＲＬ送信電力を低減するコマンドに応答していないことを検出することに基づいて、デバイス２０４が最低送信電力であることを判定しうる。トランシーバ構成要素２０８は、説明するように、デバイス２０４からの信号電力および／または干渉の増加（例えば、信号対干渉および雑音比（ＳＩＮＲ）等における増加）を検出することに基づいて、デバイス２０４に対して、ＲＬ送信電力を低減するように指示しうる。したがって、干渉検出構成要素２１０は、デバイス２０４がこのコマンドに応答していないことを検出しうる。これは、同じまたはより高い受信信号電力および／または干渉で、デバイス２０４からのその後の通信を判定すること（例えば、および／または、ＲｏＴまたはＮＲにおける対応する増加を検出すること）と、（例えば、最低レベルにあることによって）ＲＬ送信電力が低減されないとの通信をデバイス２０４から受信すること等を含みうる。
【００３３】
何れの場合であれ、ＲｏＴしきい値調節構成要素２１２は、デバイス２０４がフェムト・ノード２０２の近隣にあることに基づいて、デバイス２０４および／またはその他のデバイスからの通信のために適切なしきい値を提供するために、フェムト・ノード２０２のＲｏＴしきい値またはＮＲしきい値を動的に高めうる。一例では、これは、デバイス２０４からシグナルするレベルに基づいてＲｏＴしきい値またはＮＲしきい値２３１６を上げることによって、ＲｏＴまたはＮＲを、しきい干渉またはその他に対して検出された信号電力（例えばＳＩＮＲ）および／または干渉の量に基づいて、発生のための固定しきい値または固定しきい値増加等に基づいて、現在のしきい値（例えば、その割合として）を超えさせる。干渉検出構成要素２１０はさらに、デバイス２０４がその後フェムト・ノード２０２から離れて行くことを判定しうる（例えば、ＲｏＴまたはＮＲにおける減少を検出することに少なくとも部分的に基づいて、トランシーバ構成要素２０８によって受信された信号から、デバイス２０４のＲＬ電力における増加を判定すること、デバイス２０４が最低送信電力でもはや送信できないことを示すインジケーションを受信すること等）。この場合、ＲｏＴしきい値調節構成要素２１２は、この例では、ＲｏＴしきい値またはＮＲしきい値２１６を動的に低減しうる。これは、（例えば、デバイス２０４がしきい値の修正を引き起こす前に）しきい値を以前の値へ減少させることを含みうる。
【００３４】
別の例において、デバイス２０６は、別の基地局へ信号を送信し、フェムト・ノード２０２のより近くへ移動しうる。これは、あるレベルの干渉を引き起こす。干渉検出構成要素２１０は、一般にはセル外干渉による、あるいは、デバイス２０６によって引き起こされる増加を判定しうる。例えば、干渉検出構成要素２１０は、干渉によって引き起こされた増加ＲｏＴまたはＮＲを判定することや、デバイス２０６からの信号を検出すること等を行いうる。ＲｏＴしきい値調節構成要素２１２は、干渉を検出することに少なくとも部分的に基づいて、ＲｏＴしきい値またはＮＲしきい値２１６を動的に増加させうる。例えば、これによって、デバイス２０４は、（例えば、フェムト・ノード２０２からのコマンドに基づいて）ＲＬ電力を増加させることと、干渉に関わらず、改善されたスループットを体験することとが可能となる。
【００３５】
さらに、干渉検出構成要素２１０は、デバイス２０６から低い干渉を判定しうる（例えば、デバイス２０６がフェムト・ノード２０２から離れ、無線ネットワーク・アクセスのためにフェムト・ノード２０２を再選択する等）。例えば、これは、ＲｏＴまたはＮＲにおける低下を検出することと、特にデバイス２０６から低下した信号電力を検出すること等に少なくとも部分的に基づきうる。この例において、ＲｏＴしきい値調節構成要素２１２は、ＲｏＴしきい値またはＮＲしきい値２１６を低下させうる。ＲｏＴしきい値調節構成要素２１２は、干渉検出構成要素２１０によって検出された干渉レベルに比例してＲｏＴまたはＮＲを増加または減少させうるか、あるいは、１または複数の固定インクリメントまたはデクリメントでＲｏＴしきい値またはＮＲしきい値２１６を調節しうる等が認識されるべきである。さらに、例えば、ＲｏＴしきい値調節構成要素２１２は、干渉検出構成要素２１０がデバイス２０６からの干渉において少なくともしきい値減少を判定すると、減衰率（例えば、その割合）にしたがって、ＲｏＴしきい値またはＮＲしきい値２１６を低減させうる。
【００３６】
さらに、例えば、ＲｏＴしきい値調節構成要素２１２は、ＲｏＴしきい値またはＮＲしきい値２１６を上限にしたがって増加させうる。一例において、上限は、フェムト・ノード２０２の１または複数の別の基地局への既知または判定された近隣に少なくとも部分的に基づいて決定または設定されうる。一例において、フェムト・ノード２０２は、フェムト・ノード２０２の１または複数の別の基地局への近隣を判定することに少なくとも部分的に基づいてＲｏＴしきい値またはＮＲしきい値２１８の上限を設定しうる。
【００３７】
例えば、基地局近隣判定構成要素２１４は、別の基地局からの信号を受信することに少なくとも部分的に基づいて、近隣を判定しうる。上限は、受信信号に応じて（例えば、別の基地局へ引き起こされる干渉を最小化できるように、より強い受信信号に対しては、より低い上限に）設定されうる。別の例では、基地局近隣判定構成要素２１４は、例えば、（例えば全地球測位システム（ＧＰＳ）、観察された到着時間差、またはその他の三角測量技術を用いて）決定されたフェムト・ノード２０２の位置、および（例えば、バックホール接続によって他の基地局から、コア・ネットワーク構成要素から、１または複数のモバイル・デバイス等から取得された）別の基地局の既知または受信された位置等のような位置情報に少なくとも部分的に基づいて近隣を判定しうる。したがって、近隣判定は、実質的に任意のレベルの精度（例えば、受信信号にしたがって粗く、ＧＰＳを用いて精細に、および／または、その間の実質的に任意のレベル）でありうる。上限は、近隣に応じて設定されうる。これは、近隣の割合に応じて上限を設定することを含みうる。上限はさらに、所与の近隣の範囲にマップされた値等に応じて設定されうる。また別の例では、上限は、設定された値でありうる。
【００３８】
図３−５は、１または複数のデバイスからの干渉に基づいて、ＲｏＴしきい値またはＮＲしきい値を調節することに関連する方法の例を例示する。説明の単純性の目的のために、これら方法が一連の動作として図示および説明されるが、いくつかの動作は、１または複数の実施形態にしたがって、本明細書に図示および記載されたものとは異なる順序で、および／または、本明細書に図示および記載されたものとは異なる動作と同時に、引き起こりうるので、これら方法が、動作の順序によって制限されないことが理解および認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００３９】
図３は、ＲｏＴしきい値またはＮＲしきい値を調節するための方法３００の例を図示する。３０２では、ネットワーク・アクセスを提供するために、１または複数デバイスと通信しうる。例えば、接続は、デバイスからの通信を受信するために、および／または、デバイスへ通信を送信するために、デバイスと確立されうる。これら接続は、１または複数のラジオ・インタフェース接続でありうる。これは、別のデバイスによって干渉されうるか、および／または、１または複数のデバイスへの干渉を引き起こしうる。
【００４０】
３０４では、１または複数のデバイスのうちの少なくとも１つのデバイスからの信号によって引き起こされた干渉における変化が検出されうる。例えば、これは、デバイスからの信号の信号電力の増加を検出することと、信号によって引き起こされた干渉または信号強度（例えば、ＳＩＮＲ）がしきい値を超えたことを検出すること等を含みうる。信号の受信信号電力が上昇すると、ＲｏＴしきい値またはＮＲしきい値を超えることを回避するために電力を低減させるためのコマンドが、デバイスへ送信されうる。このようなコマンドが、デバイスへ送信され、受信信号電力が減少しない（例えば、および／または、増加しない）場合、このデバイスは、最低送信電力で動作していると判定されうる。別の例において、デバイスは、最低送信電力で動作していることを示しうる。いずれの場合であれ、デバイスは、最低送信電力で動作していると判定されても、干渉の変化は、デバイスからの信号の受信電力（例えば、ＳＩＮＲ）における増加を検出することに基づいて、少なくとも１つのデバイスにおいて引き起こされたものと判定されうる。
【００４１】
３０６において、ＲｏＴしきい値またはＮＲしきい値は、ＲｏＴまたはＮＲにおける変化を検出することに少なくとも部分的に基づいて調節されうる。例えば、ＲｏＴしきい値またはＮＲしきい値は、ＲｏＴまたはＮＲの範囲にマップされた値に基づいて、上限等に基づいて、１または複数の設定されたインクリメントまたはデクリメントにしたがって、干渉における変化に応じて調節されうる。別の例では、３０４において、検出された変化は、最低送信電力で送信しているデバイスが近隣外に移動したことによって引き起こされる干渉の低減を判定することと、デバイスによる送信電力における増加と受信信号電力における対応する減少を判定すること等に関連しうる。この例では、説明されるように、３０６において、ＲｏＴまたはＮＲが、以前のしきい値に調節されうる。
【００４２】
図４は、上限に基づいてＲｏＴしきい値またはＮＲしきい値を調節するための方法４００の例を例示する。４０２において、１または複数の基地局に対する近隣が判定されうる。例えば、これは、１または複数の基地局によって送信された信号を検出すること（例えば、信号が少なくともしきい電力にあることを判定すること）、（例えば、ネットワーク構成や、１または複数のデバイス等から）１または複数の基地局に関する位置情報を取得すること等に部分的に基づいて判定されうる。例えば、近隣は、１または複数の基地局がしきい近隣内にあること等を示すインジケーションまたは値（例えば、推定された距離、測定された経路喪失等）として判定されうる。
【００４３】
４０４では、上限は、近隣に部分的に基づいてＲｏＴしきい値またはＮＲしきい値のために設定されうる。例えば、これは、１または複数の基地局への近隣が、低い上限を設定することになるように、近隣（例えば、近隣が値である場合）に応じうる。
【００４４】
４０６では、ＲｏＴしきい値またはＮＲしきい値が、上限にしたがって調節されうる。例えば、ＲｏＴしきい値またはＮＲしきい値は、さらに、調節が、ＲｏＴまたはＮＲが上限を超えるという結果にならないことを検証することとともに、本明細書で記載されたように調節されうる。
【００４５】
図５は、セル外干渉を検出することに基づいて、ＲｏＴしきい値またはＮＲしきい値を調節するための方法５００の例を例示する。５０２では、別の基地局と通信している１または複数のデバイスから、セル外干渉が検出されうる。例えば、セル外干渉は、１または複数のデバイスから信号を取得することと、１または複数のデバイスから受信した信号電力を判定することとに加えて、ＲｏＴおよび／またはＮＲにおける増加に部分的に基づいて検出されうる。
【００４６】
５０４では、ＲｏＴしきい値またはＮＲしきい値が、セル外干渉に基づいて調節されうる。説明されるように、これは、１または複数のデバイスのために所望されるデータ・レートを伴うセル外干渉に基づいて、固定されたインクリメントに基づいて、上限等に基づいて、セル外干渉に応じうる。
【００４７】
５０６では、１または複数のデバイスが、送信電力を増加するように指示されうる。例えば、これは、検出されたセル外干渉によって引き起こされるＲｏＴしきい値またはＮＲしきい値における増加に基づきうる。
【００４８】
本明細書に記載された１または複数の態様によれば、推論は、説明されるように、ＲｏＴしきい値またはＮＲしきい値調節値を決定すること、干渉を検出すること等に関してなされうることが認識されるだろう。本明細書で使用されるように、「推論する」または「推論」という用語は、一般に、イベントおよび／またはデータによって取得されたような観察のセットから、システム、環境、および／または、ユーザの状態の推論、あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができうる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００４９】
図６は、ＲｏＴしきい値またはＮＲしきい値を調節することを容易にするシステム６００の例示である。システム６００は、（例えば、記載されているように、複数のネットワーク技術のものでありうる）複数の受信アンテナ６０６を介して１または複数のモバイル・デバイスから信号（単数または複数）を受信する受信機６１０と、（例えば、記載されているように、複数のネットワーク技術のものでありうる）複数の送信アンテナ６０８を介して１または複数のモバイル・デバイスへ送信する送信機６２６とを有するフェムト・ノード６０２を含む。受信機６１０は、１または複数の受信アンテナ６０６から情報を受信しうる。さらに、受信した情報を復調する復調器６１２と動作可能に関連付けられている。個別のアンテナとして図示されているが、受信アンテナ６０６のうちの少なくとも１つと、送信アンテナ６０８のうちの対応する１つが、同じアンテナとして結合されうることが認識されるべきである。復調されたシンボルは、本明細書に記載された１または複数の態様を実行することに関連する情報を格納するメモリ６１６に接続されたプロセッサ６１４によって分析される。
【００５０】
プロセッサ６１４は、例えば、受信機６１０によって受信された情報の分析、および／または、送信機６２６による送信のための情報の生成に特化されたプロセッサ、フェムト・ノード６０２の１または複数の構成要素またはモジュールを制御するプロセッサ、および／または、受信機６１０によって受信された情報の分析と、送信機６２６による送信のための情報の生成と、フェムト・ノード６０２の１または複数の構成要素またはモジュールの制御との両方を行うプロセッサでありうる。さらに、プロセッサ６１４は、本明細書に記載された１または複数の機能を実行しうるか、および／または、このような目的のための構成要素またはモジュールと通信しうる。さらに、例えば、プロセッサ６１４は、送信機６２６によって送信されるべき信号を変調するための変調器６２４に接続されうる。送信機６２６は、Ｔｘアンテナ６０８を介してモバイル・デバイス６０４へ信号を送信しうる。
【００５１】
記載されているように、メモリ６１６は、プロセッサ６１４に動作可能に接続されており、送信されるべきデータ、受信したデータ、利用可能なチャネルに関連する情報や、分析されたデータおよび／または干渉強度に関連付けられたデータや、割り当てられたチャネル、電力、レート等に関連する情報、および／または、チャネルの推定およびチャネルによる通信のためのその他任意の適切な情報を格納しうる。メモリ６１６はさらに、ハンドオーバ・イベントを検出すること、および／または、保護されたリソースを１または複数のデバイスへ割り当てること、に関連付けられたプロトコルおよび／またはアルゴリズムを格納しうる。
【００５２】
本明細書に記載されたデータ・ストア（例えば、メモリ６１６）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ６１６は、限定される訳ではないが、これらおよびその他任意の適切なタイプのメモリを備えることが意図される。
【００５３】
プロセッサ６１４はさらに、オプションとして、干渉検出構成要素２１０に類似しうる干渉検出構成要素６１８と、ＲｏＴしきい値調節構成要素２１２に類似しうるＲｏＴしきい値調節構成要素６２０と、および／または、基地局近隣判定構成要素２１４に類似しうる基地局近隣判定構成要素６２２とに接続されている。さらに、プロセッサ６１４と別に示されているが、干渉検出構成要素６１８、ＲｏＴしきい値調節構成要素６２０、基地局近隣判定構成要素６２２、復調器６１２、および／または、変調器６２４は、プロセッサ６１４または複数のプロセッサ（図示せず）の一部であることができ、および／または、プロセッサ６１４による実行のために、メモリ６１６内に命令群として格納されうることが認識されるべきである。さらに、例えば、Ｒｘアンテナ６０６、受信機６１０、復調器６１２、Ｔｘアンテナ６０８、送信機６２６、および／または、変調器６２４は、トランシーバ構成要素２０８、または本明細書に記載された類似の構成要素の一部でありえる。
【００５４】
図７は、ＲｏＴしきい値またはＮＲしきい値を調節するためのシステム７００を例示する。例えば、システム７００は、フェムト・ノードまたはその他の低電力基地局内に少なくとも部分的に存在しうる。システム７００は、プロセッサ、ソフトウェア、またはそれらの組み合わせ（例えば、ファームウェア）によって実現される機能を表す機能ブロックでありうる機能ブロックを含むものとして示されることが認識されるべきである。システム７００は、連携して動作しうる電子構成要素の論理グループ７０２を含む。例えば、論理グループ７０２は、ネットワーク・アクセスを提供するために１または複数のデバイスと通信するための電子構成要素７０４を含みうる。説明されるように、これは、１または複数デバイスとの接続を確立することを含みうる。
【００５５】
さらに、論理グループ７０２は、１または複数のデバイスのうちの少なくとも１つのデバイスからの信号によって引き起こされる干渉における変化を検出するための電子構成要素７０６を備えうる。これは、説明されるように、少なくとも１つのデバイスが、最低送信電力で送信しているものの、説明されるように、少なくとも１つのデバイスからの１または複数の信号の受信電力が増加することを検出することを含みうる。論理グループ７０２はまた、干渉における変化を検出することに少なくとも部分的に基づいて、ＲｏＴしきい値またはＮＲしきい値を調節するための電子構成要素７０８を備えうる。例えば、電子構成要素７０４は、前述したように、トランシーバ構成要素２０８を含みうる。さらに、例えば、電子構成要素７０６は、態様において、前述したような干渉検出構成要素２１０を含みうる、および／または、電子構成要素７０８は、ＲｏＴしきい値調節構成要素２１２を含みうる。
【００５６】
さらに、システム７００は、電子構成要素７０４，７０６，７０８に関連付けられた機能を実行するための命令群を保持するメモリ７１０を含みうる。メモリ７１０の外側にあるとして示されているが、電子構成要素７０４，７０６，７０８のうちの１または複数は、メモリ７１０内に存在しうることが理解されるべきである。一例において、電子構成要素７０４，７０６，７０８は、少なくとも１つのプロセッサを備えうる。または、電子構成要素７０４，７０６，７０８おのおのは、少なくとも１つのプロセッサの対応するモジュールでありうる。さらに、追加または代替の例において、電子構成要素７０４，７０６，７０８は、コンピュータ読取可能な媒体を備えるコンピュータ・プログラム製品でありうる。ここで、おのおのの電子構成要素７０４，７０６，７０８は、対応するコードでありうる。
【００５７】
図８は、本明細書で示されたさまざまな実施形態にしたがう無線通信システム８００を例示する。システム８００は、複数のアンテナ・グループを含みうる基地局８０２を備える。例えば、１つのアンテナ・グループは、アンテナ８０４およびアンテナ８０６を含むことができ、別のグループは、アンテナ８０８およびアンテナ８１０を備えることができ、さらに別のグループは、アンテナ８１２およびアンテナ８１４を含みうる。おのおののアンテナ・グループについて２本のアンテナしか例示されていないが、２本より多いアンテナ、または２本より少ないアンテナも、各グループのために利用されうる。基地局８０２はさらに、送信機チェーンおよび受信機チェーンを含みうる。これらおのおのは、当業者によって理解されるように、信号の送信および受信に関連する複数の構成要素またはモジュール（例えば、プロセッサ、変調器、マルチプレクサ、復調器、デマルチプレクサ、アンテナ等）を備えうる。
【００５８】
基地局８０２は、例えばモバイル・デバイス８１６およびモバイル・デバイス８２２のような１または複数のモバイル・デバイスと通信することができる。しかしながら、基地局８０２は、モバイル・デバイス８１６およびモバイル・デバイス８２２に類似した実質的に任意の数のモバイル・デバイスと通信しうることが認識されるべきである。モバイル・デバイス８１６，８２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム８００を介して通信するのに適切なその他任意のデバイスでありうる。図示するように、モバイル・デバイス８１６は、アンテナ８１２およびアンテナ８１４と通信している。ここで、アンテナ８１２およびアンテナ８１４は、順方向リンク８１８によってモバイル・デバイス８１６へ情報を送信し、逆方向リンク８２０によってモバイル・デバイス１１６から情報を受信する。さらに、モバイル・デバイス８２２はアンテナ８０４，８０６と通信している。ここで、アンテナ８０４，８０６は、順方向リンク８２４によってモバイル・デバイス８２２へ情報を送信し、逆方向リンク８２６によってモバイル・デバイス８２２から情報を受信する。周波数分割デュプレクス（ＦＤＤ）システムでは、例えば、順方向リンク８１８は、逆方向リンク８２０によって使用されるものとは異なる周波数帯域を使用し、順方向リンク８２４は、逆方向リンク８２６によって使用されるものとは異なる周波数帯域を使用しうる。さらに、時分割デュプレクス（ＴＤＤ）システムでは、順方向リンク８１８および逆方向リンク８２０は、共通の周波数帯域を使用し、順方向リンク８２４および逆方向リンク８２６は、共通の周波数帯域を使用しうる。
【００５９】
通信するように指定された領域および／またはアンテナのおのおののグループは、基地局８０２のセクタと称されうる。例えば、基地局８０２によってカバーされる領域のセクタ内のアクセス端末に通信するように、複数のアンテナが設計されうる。順方向リンク８１８，８２４による通信では、基地局８０２の送信アンテナは、モバイル・デバイス８１６，８２２の順方向リンク８１８，８２４の信号対雑音比を改善するためにビームフォーミングを利用しうる。また、基地局８０２が、関連付けられた有効通信範囲にランダムに散在したモバイル・デバイス８１６，８２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス８１６，８２２は、図示するように、ピア・トゥ・ピアまたはアド・ホック技術を用いて互いにダイレクトに通信しうる。
【００６０】
図９は、無線通信システム９００の例を示す。無線通信システム９００は、簡潔化の目的で、１つの基地局９１０と１つのモバイル・デバイス９５０しか示していない。しかしながら、システム９００は、１つより多い基地局、および／または、１つより多いモバイル・デバイスを含むことができ、これら追加の基地局および／またはモバイル・デバイスは、以下に説明する基地局９１０およびモバイル・デバイス９５０の例と実質的に同じものでも、別のものでもありうることが認識されるべきである。さらに、基地局９１０は、一例において、例えば前述した１または複数のフェムト・ノードのような低電力基地局でありうる。さらに、基地局９１０および／またはモバイル・デバイス９５０は、その間の無線通信を容易にするために、本明細書に記載のシステム（図１，２，６−８）および／または方法（図３−５）を適用しうることが認識されるべきである。例えば、本明細書に記載されたシステムおよび／または方法の構成要素または機能は、以下に記載されたメモリ９３２および／またはメモリ９７２あるいはプロセッサ９３０および／またはプロセッサ９７０の一部となることができ、および／または、開示された機能を実行するために、プロセッサ９３０および／またはプロセッサ９７０によって実行されうる。
【００６１】
基地局９１０では、多くのデータ・ストリームのためのトラフィック・データが、データ・ソース９１２から送信（ＴＸ）データ・プロセッサ９１４へ提供される。例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符号化スキームに基づいて符号化し、インタリーブして、符号化されたデータを提供する。
【００６２】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重（ＦＤＭ）、時分割多重（ＴＤＭ）、あるいは符号分割多重（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ９３０によって実行または提供される命令によって決定されうる。
【００６３】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６４】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６５】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６７】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６８】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどのプリコーディング行列を使用するかを決定するために、この抽出されたメッセージを処理する。
【００６９】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。例えば、プロセッサ９３０および／またはプロセッサ９７０、および／または、メモリ９３２および／またはメモリ９７２は、例えば、前述したように、検出された干渉に基づいてＲｏＴしきい値またはＮＲしきい値を調節することのように、本明細書に記載された機能および／または構成要素に関連する命令群を格納しうる。
【００７０】
図１０は、多くのユーザをサポートするように構成され、本明細書に記載された教示が実施される無線通信システム１０００を例示する。このシステム１０００は、例えばマクロ・セル１００２Ａ−１００２Ｇのような複数のセル１００２のための通信を提供する。ここで、各セルは、対応するアクセス・ノード１００４（例えば、アクセス・ノード１００４Ａ−１００４Ｇ）によってサービス提供される。図１０に示すように、アクセス端末１００６（例えば、アクセス端末１００６Ａ−１００６Ｌ）は、経時的に、システム内のさまざまな位置に分布しうる。アクセス端末１００６はおのおのの、例えば、アクセス端末１００６がアクティブであるか、および、ソフト・ハンドオフにあるかに依存して、所与の時間において、順方向リンク（ＦＬ）および／または逆方向リンク（ＲＬ）で、１または複数のアクセス・ノード１００４と通信しうる。無線通信システム１０００は、広い地理的領域にわたってサービスを提供しうる。
【００７１】
図１１は、１または複数のフェムト・ノードがネットワーク環境内で展開されている典型的な通信システム１１００を例示する。具体的には、システム１１００は、（例えば、１または複数のユーザ住宅１１３０内のような）比較的小規模スケールのネットワーク環境に搭載された複数のフェムト・ノード１１１０Ａ，１１１０Ｂ（例えば、フェムト・ノードまたはＨ（ｅ）ＮＢ）を含む。おのおののフェムト・ノード１１１０は、デジタル加入者ライン（ＤＳＬ）ルータ、ケーブル・モデム、無線リンク、またはその他の接続手段（図示せず）を経由して、広域ネットワーク１１４０（例えば、インターネット）およびモバイル・オペレータ・コア・ネットワーク１１５０に接続されうる。以下に説明するように、おのおののフェムト・ノード１１１０は、関連付けられたアクセス端末１１２０（例えば、アクセス端末１１２０Ａ）と、オプションとして、外部アクセス端末１１２０（例えば、アクセス端末１１２０Ｂ）にサービス提供するように構成されうる。言い換えれば、フェムト・ノード１１１０へのアクセスが制限され、これによって、所与のアクセス端末１１２０が、指定された（例えば、自宅のような）フェムト・ノード（単数または複数）１１１０のセットによってサービス提供されうるが、指定されていないフェムト・ノード１１１０（例えば、近隣のフェムト・ノード）によってサービス提供されない。
【００７２】
図１２は、おのおのがいくつかのマクロ有効通信範囲エリア１２０４を含むいくつかのトラッキング・エリア１２０２（または、ルーティング・エリアまたは位置エリア）が定義されている有効通信範囲マップ１２００の例を示す。ここでは、トラッキング・エリア１２０２Ａ，１２０２Ｂ，１２０２Ｃに関連付けられた有効通信範囲のエリアが、太線で示され、マクロ有効通信範囲エリア１２０４が、六角形によって示されている。トラッキング・エリア１２０２は、フェムト有効通信範囲エリア１２０６をも含んでいる。この例において、フェムト有効通信範囲領域１２０６（例えば、フェムト有効通信範囲領域１２０６Ｃ）のおのおのは、マクロ有効通信範囲領域１２０４（例えば、マクロ有効通信範囲領域１２０４Ｂ）内に図示される。しかしながら、フェムト有効通信範囲エリア１２０６は、マクロ有効通信範囲エリア１２０４内に全体的に位置していなくても良いことが認識されるべきである。実際、フェムト有効通信範囲領域１２０６の大部分は、トラッキング領域１２０２またはマクロ有効通信範囲領域１２０４で定義されうる。さらに、１または複数のピコ有効通信範囲領域（図示せず）は、所与のトラッキング領域１２０２またはマクロ有効通信範囲領域１２０４内で定義されうる。
【００７３】
図１１に再び示すように、フェムト・ノード１１１０の所有者は、モバイル・オペレータ・コア・ネットワーク１１５０を通じて提供された、例えば３Ｇモバイル・サービスのようなモバイル・サービスに申し込みうる。さらに、アクセス端末１１２０は、マクロ環境と、（例えば、住宅のような）小規模なネットワーク環境との両方において、動作可能でありうる。したがって、例えば、アクセス端末１１２０は、アクセス端末１１２０の現在位置に依存して、アクセス・ノード１１６０によって、または、フェムト・ノード１１１０（例えば、対応するユーザ住宅１１３０内に存在するフェムト・ノード１１１０Ａ，１１１０Ｂ）のセットのうちの任意の１つによってサービス提供されうる。例えば、加入者が、自宅外にいる場合、標準的なマクロ・セル・アクセス・ノード（例えば、ノード１１６０）によってサービス提供され、加入者が、自宅内にいる場合、フェムト・ノード（例えば、ノード１１１０Ａ）によってサービス提供される。ここでは、フェムト・ノード１１１０は、既存のアクセス端末１１２０との後方互換性を持ちうることが認識されるべきである。
【００７４】
フェムト・ノード１１１０は、単一の周波数で、代替例では、複数の周波数で展開されうる。特定の構成に依存して、単一の周波数、または、複数の周波数のうちの１または複数が、マクロ・セル・アクセス・ノード（例えば、ノード１１６０）によって使用される１または複数の周波数とオーバラップしうる。いくつかの態様では、アクセス端末１１２０は、（例えば、アクセス端末１１２０のホーム・フェムト・ノードのような）好適なフェムト・ノードとの接続が可能である場合には常に接続するように構成されうる。例えば、アクセス端末１１２０がユーザの自宅１１３０内にある場合は常に、アクセス端末１１２０はホーム・フェムト・ノード１１１０とのみ通信しうる。
【００７５】
いくつかの態様では、アクセス端末１１２０がモバイル・オペレータ・コア・ネットワーク１１５０内で動作するものの、（例えば、好適なローミング・リストで定義されたような）最も好適なネットワークに存在しない場合、アクセス端末１１２０は、より良好なシステムが現在利用可能であるかを判定するために、利用可能なシステムの定期的なスキャンと、好適なシステムと関連付けるためのその後の努力とを含むベター・システム再選択（ＢＳＲ：Better System Reselection）を使用して、最も好適なネットワーク（例えば、好適なフェムト・ノード１１１０）を探索し続けうる。１つの例では、アクセス端末１１２０は、（例えば、好適なローミング・リスト内の）獲得テーブル・エントリを用いて、特定の帯域およびチャネルを求める探索を制限しうる。例えば、最も好適なシステムの探索は、定期的に反復されうる。アクセス端末１１２０は、例えばフェムト・ノード１１１０のような好適なフェムト・ノードを発見すると、有効通信範囲エリア内でキャンプするためのフェムト・ノード１１１０を選択する。
【００７６】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１１３０内に存在するフェムト・セル１１１０のように）定義されたフェムト・ノードのセットによってのみサービス提供されうる。いくつかの実施では、フェムト・ノードは、少なくとも１つのノードのために、シグナリング、データ・アクセス、登録、ページング、またはサービスのうちの少なくとも１つを提供しないように制限されうる。
【００７７】
いくつかの態様では、（クローズド加入者グループＨ（ｅ）ＮＢとも称されうる）制限されたフェムト・ノードは、制限されたアクセス端末のプロビジョンされたセットへサービスを提供するノードである。必要な場合、このセットは、一時的または永続的に拡張されうる。いくつかの態様では、クローズド加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００７８】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らくは緊急事態（例えば、９１１コール）を除いて、アクセス端末がアクセスまたは動作することを許可されない（例えば、アクセス端末が非メンバである）フェムト・ノードを称しうる。
【００７９】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００８０】
便宜上、本明細書における開示は、フェムト・ノードの文脈で、さまざまな機能を説明している。しかしながら、大規模な有効通信範囲エリアのために、ピコ・ノードが、フェムト・ノードと同じまたは同様の機能を提供しうることが認識されるべきである。例えば、ピコ・ノードが制限され、所与のアクセス端末のためにホーム・ピコ・ノードが定義される等である。
【００８１】
無線多元接続通信システムは、複数の無線アクセス端末のための通信を同時にサポートすることができる。前述したように、おのおのの端末は、順方向リンクおよび逆方向リンクによる送信によって１または複数の基地局と通信しうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、ＭＩＭＯシステム、あるいは、その他いくつかのタイプのシステムによって確立されうる。
【００８２】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいはステート・マシンを用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００８３】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。前述した組み合わせもまた、コンピュータ読取可能な媒体の範囲内に含まれるべきである。
【００８４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［１］  ライズ・オーバ・サーマル（ＲｏＴ）しきい値または雑音上昇（ＮＲ）しきい値を調節するための方法であって、
ネットワーク・アクセスを提供するために１または複数のデバイスと通信することと、
前記１または複数のデバイスのうちの少なくとも１つのデバイスからの信号によって引き起こされた干渉における変化を検出することと、
前記干渉における変化を検出することに少なくとも部分的に基づいて、ＲｏＴしきい値またはＮＲしきい値を調節することと、
を備える方法。
［２］  前記干渉における変化を検出することは、前記少なくとも１つのデバイスからの信号の受信信号電力における増加を検出することを備える、［１］に記載の方法。
［３］  前記ＲｏＴしきい値またはＮＲしきい値を調節することはさらに、前記少なくとも１つのデバイスが最低送信電力で前記信号を送信していることを判定することに部分的に基づく、［２］に記載の方法。
［４］  前記少なくとも１つのデバイスが最低送信電力で前記信号を送信していることを判定することは、前記少なくとも１つのデバイスが、前記信号を送信するための電力を低減させるための１または複数のコマンドに応答しないことを判定することを備える、［３］に記載の方法。
［５］  １または複数の基地局に対して判定された近隣に部分的に基づいて、前記ＲｏＴしきい値またはＮＲしきい値のための上限を決定することをさらに備え、
前記調節することは、前記上限に部分的に基づく、［１］に記載の方法。
［６］  前記少なくとも１つのデバイスからの第２の信号によって引き起こされた干渉における減少を検出することと、
前記干渉における減少を検出することに部分的に基づいて、前記ＲｏＴしきい値またはＮＲしきい値を低減させることと、ここで、前記少なくとも１つのデバイスは、最低送信電力で送信するように既に決定されている、
をさらに備える［１］に記載の方法。
［７］  ライズ・オーバ・サーマル（ＲｏＴ）しきい値または雑音上昇（ＮＲ）しきい値を調節するための装置であって、
ネットワーク・アクセスを提供するために１または複数のデバイスと通信し、
前記１または複数のデバイスのうちの少なくとも１つのデバイスからの信号によって引き起こされた干渉における変化を検出し、
前記干渉における変化を検出することに少なくとも部分的に基づいて、ＲｏＴしきい値またはＮＲしきい値を調節する
ように構成された少なくとも１つのプロセッサと、
前記少なくとも１つのプロセッサに接続されたメモリと、
を備える装置。
［８］  前記少なくとも１つのプロセッサは、一部分において、前記少なくとも１つのデバイスから受信された信号の受信信号電力における増加を検出することによって、前記干渉における変化を検出する、［７］に記載の装置。
［９］  前記少なくとも１つのプロセッサは、さらに、前記少なくとも１つのデバイスが最低送信電力で前記信号を送信していることを判定することに部分的に基づいて、前記ＲｏＴしきい値またはＮＲしきい値を調節する、［８］に記載の装置。
［１０］  前記少なくとも１つのプロセッサは、一部分において、前記少なくとも１つのデバイスが、前記信号を送信するための電力を低減させるための１または複数のコマンドに応答しないことを判定することによって、前記少なくとも１つのデバイスが、前記信号を前記最低送信電力で送信していると判定する、［９］に記載の装置。
［１１］  前記少なくとも１つのプロセッサはさらに、１または複数の基地局に対して判定された近隣に部分的に基づいて、前記ＲｏＴしきい値またはＮＲしきい値のための上限を決定するように構成され、
前記少なくとも１つのプロセッサは、前記上限に部分的に基づいて前記ＲｏＴしきい値またはＮＲしきい値を調節する、［７］に記載の装置。
［１２］  前記少なくとも１つのプロセッサはさらに、
前記少なくとも１つのデバイスからの第２の信号によって引き起こされた干渉における減少を検出し、
前記干渉における減少に部分的に基づいて、前記ＲｏＴしきい値またはＮＲしきい値を低減させ、ここで、前記少なくとも１つのデバイスは、最低送信電力で送信するように既に決定されている、
ように構成された、［７］に記載の装置。
［１３］  ライズ・オーバ・サーマル（ＲｏＴ）しきい値または雑音上昇（ＮＲ）しきい値を調節するための装置であって、
ネットワーク・アクセスを提供するために１または複数のデバイスと通信する手段と、
前記１または複数のデバイスのうちの少なくとも１つのデバイスからの信号によって引き起こされた干渉における変化を検出する手段と、
前記干渉における変化を検出することに少なくとも部分的に基づいて、ＲｏＴしきい値またはＮＲしきい値を調節する手段と、
を備える装置。
［１４］  前記検出する手段は、一部分において、前記少なくとも１つのデバイスから受信された信号の受信信号電力における増加を検出することによって、前記干渉における変化を検出する、［１３］に記載の装置。
［１５］  前記調節する手段は、前記検出する手段が、前記少なくとも１つのデバイスが最低送信電力で前記信号を送信していると判定することにさらに部分的に基づいて、前記ＲｏＴしきい値またはＮＲしきい値を調節する、［１４］に記載の装置。
［１６］  前記検出する手段は、一部分において、前記少なくとも１つのデバイスが、前記信号を送信するための電力を低減させるための１または複数のコマンドに応答しないことを判定することによって、前記少なくとも１つのデバイスが、前記信号を前記最低送信電力で送信していると判定する、［１５］に記載の装置。
［１７］  前記調節する手段は、
１または複数の基地局に対して判定された近隣に部分的に基づいて、前記ＲｏＴしきい値またはＮＲしきい値のための上限を決定し、
前記上限に部分的に基づいて、前記ＲｏＴしきい値またはＮＲしきい値を調節する、
［１３］に記載の装置。
［１８］  前記検出する手段は、前記少なくとも１つのデバイスからの第２の信号によって引き起こされた干渉における減少を検出し、
前記調節する手段は、前記干渉における減少に部分的に基づいて、前記ＲｏＴしきい値またはＮＲしきい値を低減させ、ここで、前記少なくとも１つのデバイスは、最低送信電力で送信するように既に決定されている、
［１３］に記載の装置。
［１９］  ライズ・オーバ・サーマル（ＲｏＴ）しきい値または雑音上昇（ＮＲ）しきい値を調節するためのコンピュータ・プログラム製品であって、
少なくとも１つのコンピュータに対して、ネットワーク・アクセスを提供するために１または複数のデバイスと通信させるためのコードと、
前記少なくとも１つのコンピュータに対して、前記１または複数のデバイスのうちの少なくとも１つのデバイスからの信号によって引き起こされた干渉における変化を検出させるためのコードと、
前記少なくとも１つのコンピュータに対して、前記干渉における変化を検出することに少なくとも部分的に基づいて、ＲｏＴしきい値またはＮＲしきい値を調節させるためのコードと、
を備える非一時的なコンピュータ読取可能な媒体を備える、コンピュータ・プログラム製品。
［２０］  前記少なくとも１つのコンピュータに対して検出させるためのコードは、一部分において、前記少なくとも１つのデバイスから受信された信号の受信信号電力における増加を検出することによって、前記干渉における変化を検出する、［１９］に記載のコンピュータ・プログラム製品。
［２１］  前記少なくとも１つのコンピュータに対して調節させるためのコードはさらに、前記少なくとも１つのデバイスが最低送信電力で前記信号を送信していることを判定することに部分的に基づいて前記ＲｏＴしきい値またはＮＲしきい値を調節する、［２０］に記載のコンピュータ・プログラム製品。
［２２］  前記少なくとも１つのコンピュータに対して検出させるためのコードは、一部分において、前記少なくとも１つのデバイスが、前記信号を送信するための電力を低減させるための１または複数のコマンドに応答しないことを判定することによって、前記少なくとも１つのデバイスが、前記信号を前記最低送信電力で送信していると判定する、［２１］に記載のコンピュータ・プログラム製品。
［２３］  前記コンピュータ読取可能な媒体はさらに、前記少なくとも１つのコンピュータに対して、１または複数の基地局に対して判定された近隣に部分的に基づいて、前記ＲｏＴしきい値またはＮＲしきい値のための上限を決定させるためのコードを備え、
前記少なくとも１つのコンピュータに対して調節させるためのコードは、前記上限に部分的に基づいて、前記ＲｏＴしきい値またはＮＲしきい値を調節する、［１９］に記載のコンピュータ・プログラム製品。
［２４］  前記コンピュータ読取可能な媒体はさらに、
前記少なくとも１つのコンピュータに対して、前記少なくとも１つのデバイスからの第２の信号によって引き起こされた干渉における減少を検出させるためのコードと、
前記少なくとも１つのコンピュータに対して、前記干渉における減少に部分的に基づいて、前記ＲｏＴしきい値またはＮＲしきい値を低減させるためのコードと、ここで、前記少なくとも１つのデバイスは、最低送信電力で送信するように既に決定されている、
を備える、［１９］に記載のコンピュータ・プログラム製品。
［２５］  ライズ・オーバ・サーマル（ＲｏＴ）しきい値または雑音上昇（ＮＲ）しきい値を調節するための装置であって、
ネットワーク・アクセスを提供するために１または複数のデバイスと通信するためのトランシーバ構成要素と、
前記１または複数のデバイスのうちの少なくとも１つのデバイスからの信号によって引き起こされた干渉における変化を検出するための干渉検出構成要素と、
前記干渉における変化を検出することに少なくとも部分的に基づいて、ＲｏＴしきい値またはＮＲしきい値を調節するためのＲｏＴしきい値調節構成要素と、
を備える装置。
［２６］  前記干渉検出構成要素は、一部分において、前記少なくとも１つのデバイスから受信された信号の受信信号電力における増加を検出することによって、前記干渉における変化を検出する、［２５］に記載の装置。
［２７］  前記ＲｏＴしきい値調節構成要素は、前記干渉検出構成要素が、さらに、前記少なくとも１つのデバイスが最低送信電力で前記信号を送信していることを判定することに部分的に基づいて前記ＲｏＴしきい値またはＮＲしきい値を調節する、［２６］に記載の装置。
［２８］  前記干渉検出構成要素が、一部分において、前記少なくとも１つのデバイスが、前記信号を送信するための電力を低減させるための１または複数のコマンドに応答しないことを判定することによって、前記少なくとも１つのデバイスが、前記信号を前記最低送信電力で送信していると判定する、［２７］に記載の装置。
［２９］  前記ＲｏＴしきい値調節構成要素は、
１または複数の基地局に対して判定された近隣に部分的に基づいて、前記ＲｏＴしきい値またはＮＲしきい値のための上限を決定し、
前記上限に部分的に基づいて、前記ＲｏＴしきい値またはＮＲしきい値を調節する、
［２５］に記載の装置。
［３０］  前記干渉検出構成要素が、前記少なくとも１つのデバイスからの第２の信号によって引き起こされた干渉における減少を検出し、
前記ＲｏＴしきい値調節構成要素が、前記干渉における減少に部分的に基づいて、前記ＲｏＴしきい値またはＮＲしきい値を低減させ、ここで、前記少なくとも１つのデバイスは、最低送信電力で送信するように既に決定されている、
［２５］に記載の装置。
【図１】
0006013541.tif 000002
【図２】
0006013541.tif 000003
【図３】
0006013541.tif 000004
【図４】
0006013541.tif 000005
【図５】
0006013541.tif 000006
【図６】
0006013541.tif 000007
【図７】
0006013541.tif 000008
【図８】
0006013541.tif 000009
【図９】
0006013541.tif 000010
【図１０】
0006013541.tif 000011
【図１１】
0006013541.tif 000012
【図１２】
0006013541.tif 000013